(57)【要約】【課題】先行取得した単位処理に係る画像情報及び画像形成情報に応じた色について濃度補正を実施する場合に、前回濃度補正されていない未実施色について適度な濃度補正が実施される画像形成装置及びプログラムを提供する。【解決手段】画像情報及び画像形成情報を単位処理毎に取得し、画像情報及び画像形成情報に基づいて画像を形成する画像形成手段と、予め定めた期間毎に画像形成条件を調整して、画像形成手段により形成される画像の濃度を色毎に補正する濃度補正手段と、単位処理の実行前に当該単位処理に係る画像情報及び画像形成情報に基づいて次回の濃度補正の対象となる対象色及び濃度補正の実施履歴を取得して、濃度補正の実施履歴に基づいて対象色が前回濃度補正されていない未実施色の場合には補正量が第１の上限値を超えても補正を行うように濃度補正手段を制御する制御手段と、を備えた画像形成装置である。【選択図】図１６
2014038192.tif 000002
【特許請求の範囲】
【請求項１】
画像情報及び画像形成情報を単位処理毎に取得する第１の取得手段と、
画像情報及び画像形成情報に基づいて予め定めた複数色のうちの少なくとも１色により画像を形成する画像形成手段と、
予め定めた期間毎に前記画像形成手段による画像形成条件を調整して、前記画像形成手段により形成される画像の濃度を色毎に補正する濃度補正手段と、
前記単位処理の実行前に当該単位処理に係る画像情報及び画像形成情報に基づいて次回の濃度補正の対象となる対象色を取得する第２の取得手段と、
濃度補正の実施履歴を取得する第３の取得手段と、
前記濃度補正の実施履歴に基づいて、前記対象色が前回濃度補正されていない未実施色の場合には補正量が第１の上限値を超えても補正を行うように、前記濃度補正手段を制御する制御手段と、
を備えた画像形成装置。
【請求項２】
前記制御手段が、前記対象色が前回濃度補正された実施色の場合には、補正量が第１の上限値以下となる範囲で補正を行うように前記濃度補正手段を制御する、請求項１に記載の画像形成装置。
【請求項３】
前記制御手段が、前記対象色が前記未実施色の場合には、補正量に上限値を設けずに補正を行うように前記濃度補正手段を制御する、請求項１又は２に記載の画像形成装置。
【請求項４】
前記制御手段が、前記対象色が前記未実施色の場合には、補正量が前記第１の上限値より大きい第２の上限値以下となる範囲で補正を行うように前記濃度補正手段を制御する、請求項１又は２に記載の画像形成装置。
【請求項５】
前記制御手段が、濃度補正されていない回数が予め定めた回数を超える場合には、補正量に上限値を設けずに補正を行うように前記濃度補正手段を制御する、請求項４に記載の画像形成装置。
【請求項６】
前記制御手段が、前記単位処理の実行開始が予め定めた時間以上先である場合には、前記対象色が実施色か未実施色かに拘わらず、補正量に上限値を設けずに補正を行うように前記濃度補正手段を制御する、請求項１から請求項５までのいずれか１項に記載の画像形成装置。
【請求項７】
前記濃度補正の実施履歴が、濃度補正時の画像形成手段の稼動状況を含み、
前記制御手段が、前記対象色が前記未実施色で且つ濃度補正時に前記画像形成手段が停止状態の場合には補正量が前記第１の上限値より大きい第２の上限値以下となる範囲で補正を行い、前記対象色が前記未実施色で且つ濃度補正時に前記画像形成手段が稼動状態の場合には補正量が前記第１の上限値より大きく且つ前記第２の上限値以下となる範囲で補正を行うように前記濃度補正手段を制御する、請求項１又は２に記載の画像形成装置。
【請求項８】
前記単位処理の実行前に当該単位処理に係る画像情報及び画像形成情報に基づいて次回の濃度補正に用いる濃度補正用画像を取得する第４の取得手段を更に備え、
前記濃度補正手段が、前記第４の取得手段で取得された濃度補正用画像を用いて前記画像形成手段による画像形成条件を調整する、
請求項１から請求項７までのいずれか１項に記載の画像形成装置。
【請求項９】
前記第４の取得手段が、前記画像情報及び画像形成情報から前記対象色で形成される画像の画像濃度及び／又は当該画像に含まれるオブジェクトの種類を含む情報を抽出し、抽出された情報に基づいて前記濃度補正用画像の階調数及び階調値を決定する、請求項８に記載の画像形成装置。
【請求項１０】
コンピュータを、
画像情報及び画像形成情報を単位処理毎に取得する第１の取得手段、
画像情報及び画像形成情報に基づいて予め定めた複数色のうちの少なくとも１色により画像を形成するように画像形成手段を制御する画像形成制御手段、
予め定めた期間毎に前記画像形成手段による画像形成条件を調整して、前記画像形成手段により形成される画像の濃度を色毎に補正する濃度補正手段、
前記単位処理の実行前に当該単位処理に係る画像情報及び画像形成情報に基づいて次回の濃度補正の対象となる対象色を取得する第２の取得手段、
濃度補正の実施履歴を取得する第３の取得手段、
前記濃度補正の実施履歴に基づいて、前記対象色が前回濃度補正されていない未実施色の場合には補正量が第１の上限値を超えても補正を行うように、前記濃度補正手段を制御する制御手段、
として機能させるプログラム。
【請求項１１】
前記制御手段が、前記対象色が前回濃度補正された実施色の場合には、補正量が第１の上限値以下となる範囲で補正を行うように前記濃度補正手段を制御する、請求項１０に記載のプログラム。
【発明の詳細な説明】
【技術分野】
【０００１】
本発明は、画像形成装置及びプログラムに関する。
【背景技術】
【０００２】
特許文献１には、それぞれ異なる色の現像剤を有する現像器を複数備え、原稿画像の色情報に応じて、前記複数の現像器を使用して画像を形成する第１の画像形成モードと、そのうちの特定の色の現像剤を有する現像器のみを使用して画像を形成する第２の画像形成モードとを切り換えて、記録シートもしくは転写体上に画像を形成する画像形成装置であって、前記各色の基準パターンを形成し、形成された各基準パターンの検出結果から、各色の画像の作像条件を適正化するための第１の画像安定化調整を行う第１の画像安定化手段と、前記特定の色の基準パターンを形成し、当該基準パターンの検出結果から、当該色のみの画像の作像条件を適正化するための第２の画像安定化調整を行う第２の画像安定化手段と、画像形成動作の履歴に基づき、第１と第２の各画像安定化調整の必要性を判定する判定手段と、前記判定手段により、第２の画像形成モード設定時に第２の画像安定化調整が必要であると判定された場合において、次に第１の画像形成モードを実行する時期を予測し、次に第２の画像安定化調整の必要が生じるまでに当該第１の画像形成モードを実行する時期が到来する場合には、第１の画像安定化手段を選択して第１の画像安定化調整を実行させる制御手段と、を備えたことを特徴とする画像形成装置が開示されている。
【０００３】
特許文献２には、像担持体上に画像用画像を形成し、当該像担持体上の前記画像用画像が形成されていない領域に画質調整用画像を形成する画像形成部と、入力される画像データを用いて前記画質調整用画像の内容を決定する決定部と、前記決定部にて内容が決定され、前記画像形成部にて前記像担持体上に形成された前記画質調整用画像を読み取る読み取り部と、前記読み取り部による読み取り結果から、前記画像データに基づいて前記画像用画像を形成する際の前記画像形成部の作像条件を調整する調整部と、を含む画像形成装置が開示されている。
【先行技術文献】
【特許文献】
【０００４】
【特許文献１】特開２００１−０６６８４２号公報
【特許文献２】特開２００７−１６３９９６号公報
【発明の概要】
【発明が解決しようとする課題】
【０００５】
本発明の目的は、先行取得した単位処理に係る画像情報及び画像形成情報に応じた色について濃度補正を実施する場合に、前回濃度補正されていない未実施色について適度な濃度補正が実施される画像形成装置及びプログラムを提供することにある。
【課題を解決するための手段】
【０００６】
上記目的を達成するための請求項１に記載の発明は、画像情報及び画像形成情報を単位処理毎に取得する第１の取得手段と、画像情報及び画像形成情報に基づいて予め定めた複数色のうちの少なくとも１色により画像を形成する画像形成手段と、予め定めた期間毎に前記画像形成手段による画像形成条件を調整して、前記画像形成手段により形成される画像の濃度を色毎に補正する濃度補正手段と、前記単位処理の実行前に当該単位処理に係る画像情報及び画像形成情報に基づいて次回の濃度補正の対象となる対象色を取得する第２の取得手段と、濃度補正の実施履歴を取得する第３の取得手段と、前記濃度補正の実施履歴に基づいて、前記対象色が前回濃度補正されていない未実施色の場合には補正量が第１の上限値を超えても補正を行うように、前記濃度補正手段を制御する制御手段と、を備えた画像形成装置である。
【０００７】
請求項２に記載の発明は、前記制御手段が、前記対象色が前回濃度補正された実施色の場合には、補正量が第１の上限値以下となる範囲で補正を行うように前記濃度補正手段を制御する、請求項１に記載の画像形成装置である。
【０００８】
請求項３に記載の発明は、前記制御手段が、前記対象色が前記未実施色の場合には、補正量に上限値を設けずに補正を行うように前記濃度補正手段を制御する、請求項１又は２に記載の画像形成装置である。
【０００９】
請求項４に記載の発明は、前記制御手段が、前記対象色が前記未実施色の場合には、補正量が前記第１の上限値より大きい第２の上限値以下となる範囲で補正を行うように前記濃度補正手段を制御する、請求項１又は２に記載の画像形成装置である。
【００１０】
請求項５に記載の発明は、前記制御手段が、濃度補正されていない回数が予め定めた回数を超える場合には、補正量に上限値を設けずに補正を行うように前記濃度補正手段を制御する、請求項４に記載の画像形成装置である。
【００１１】
請求項６に記載の発明は、前記制御手段が、前記単位処理の実行開始が予め定めた時間以上先である場合には、前記対象色が実施色か未実施色かに拘わらず、補正量に上限値を設けずに補正を行うように前記濃度補正手段を制御する、請求項１から請求項５までのいずれか１項に記載の画像形成装置である。
【００１２】
請求項７に記載の発明は、前記濃度補正の実施履歴が、濃度補正時の画像形成手段の稼動状況を含み、前記制御手段が、前記対象色が前記未実施色で且つ濃度補正時に前記画像形成手段が停止状態の場合には補正量が前記第１の上限値より大きい第２の上限値以下となる範囲で補正を行い、前記対象色が前記未実施色で且つ濃度補正時に前記画像形成手段が稼動状態の場合には補正量が前記第１の上限値より大きく且つ第２の上限値以下となる範囲で補正を行うように前記濃度補正手段を制御する、請求項１又は２に記載の画像形成装置である。
【００１３】
請求項８に記載の発明は、前記単位処理の実行前に当該単位処理に係る画像情報及び画像形成情報に基づいて次回の濃度補正に用いる濃度補正用画像を取得する第４の取得手段を更に備え、前記濃度補正手段が、前記第４の取得手段で取得された濃度補正用画像を用いて前記画像形成手段による画像形成条件を調整する、請求項１から請求項７までのいずれか１項に記載の画像形成装置である。
【００１４】
請求項９に記載の発明は、前記第４の取得手段が、前記画像情報及び画像形成情報から前記対象色で形成される画像の画像濃度及び／又は当該画像に含まれるオブジェクトの種類を含む情報を抽出し、抽出された情報に基づいて前記濃度補正用画像の階調数及び階調値を決定する、請求項８に記載の画像形成装置である。
【００１５】
請求項１０に記載の発明は、コンピュータを、画像情報及び画像形成情報を単位処理毎に取得する第１の取得手段、画像情報及び画像形成情報に基づいて予め定めた複数色のうちの少なくとも１色により画像を形成するように画像形成手段を制御する画像形成制御手段、予め定めた期間毎に前記画像形成手段による画像形成条件を調整して、前記画像形成手段により形成される画像の濃度を色毎に補正する濃度補正手段、前記単位処理の実行前に当該単位処理に係る画像情報及び画像形成情報に基づいて次回の濃度補正の対象となる対象色を取得する第２の取得手段、濃度補正の実施履歴を取得する第３の取得手段、前記濃度補正の実施履歴に基づいて、前記対象色が前回濃度補正されていない未実施色の場合には補正量が第１の上限値を超えても補正を行うように、前記濃度補正手段を制御する制御手段、として機能させるプログラムである。
【００１６】
請求項１１に記載の発明は、前記制御手段が、前記対象色が前回濃度補正された実施色の場合には、補正量が第１の上限値以下となる範囲で補正を行うように前記濃度補正手段を制御する、請求項１０に記載のプログラムである。
【発明の効果】
【００１７】
請求項１、請求項１０に係る発明によれば、先行取得した単位処理に係る画像情報及び画像形成情報に応じた色について濃度補正を実施する場合に、前回濃度補正されていない未実施色について適度な濃度補正が実施される。
【００１８】
請求項２、請求項１１に係る発明によれば、前回濃度補正された実施色について過度な濃度変動が回避される。
【００１９】
請求項３に係る発明によれば、前回濃度補正されていない未実施色について濃度変動に応じた濃度補正が実施される。
【００２０】
請求項４に係る発明によれば、前回濃度補正されていない未実施色について過度な濃度変動が回避される。
【００２１】
請求項５に係る発明によれば、複数回にわたり濃度補正されていない未実施色について濃度変動に応じた濃度補正が実施される。
【００２２】
請求項６に係る発明によれば、単位処理の実行開始まで時間がある場合には、実施色か未実施色かに拘わらず濃度変動に応じた濃度補正が実施される。
【００２３】
請求項７に係る発明によれば、濃度補正時の画像形成手段が停止状態か稼動状態かに応じて、前回濃度補正されていない未実施色について適度な濃度補正が実施される。
【００２４】
請求項８に係る発明によれば、先行取得した単位処理に係る画像情報及び画像形成情報に応じて濃度補正を実施する場合に、単位処理の内容に適した濃度補正用画像が形成される。
【００２５】
請求項９に係る発明によれば、先行取得した単位処理に係る画像情報及び画像形成情報に応じて濃度補正を実施する場合に、単位処理に係る画像濃度及び／又はオブジェクトの種類に応じた階調数及び階調値の濃度補正用画像が形成される。
【図面の簡単な説明】
【００２６】
【図１】本発明の第１の実施の形態に係る画像形成装置を含むシステムの一例を示すブロック図である。
【図２】本発明の第１の実施の形態に係る画像形成装置の全体構成の一例を示す概略図である。
【図３】本発明の第１の実施の形態に係る画像形成装置の制御系の構成の一例を示すブロック図である。
【図４】中間転写ベルト上の画像領域と非画像領域とを示す平面図である。
【図５】中間転写ベルト上に形成される濃度補正用画像群の構成を示す模式図である。
【図６】本発明の第１の実施の形態に係る画像形成装置の制御系の構成の一例を示す機能ブロック図である。
【図７】画像処理部及び情報先行取得部の構成の一例を示す機能ブロック図である。
【図８】濃度補正部の構成の一例を示す機能ブロック図である。
【図９】画像情報記憶部及び画像形成駆動制御部の構成の一例を示す機能ブロック図である。
【図１０】本発明の第１の実施の形態に係る画像形成装置での濃度補正による濃度変化を示すグラフである。
【図１１】従来の画像形成装置での濃度補正による濃度変化を示すグラフである。
【図１２】本発明の第１の実施の形態に係る画像形成装置の「画像形成処理」の手順を示すフローチャートである。
【図１３】「色変換処理」の手順を示すフローチャートである。
【図１４】「濃度補正用画像生成処理」の手順を示すフローチャートである。
【図１５】「濃度補正処理」の手順を示すフローチャートである。
【図１６】「履歴対応補正処理」の手順を示すフローチャートである。
【図１７】本発明の第２の実施の形態に係る「履歴対応補正処理」の手順を示すフローチャートである。
【図１８】本発明の第３の実施の形態に係る「履歴対応補正処理」の手順を示すフローチャートである。
【図１９】本発明の第４の実施の形態に係る画像処理部及び情報先行取得部の構成の一例を示す機能ブロック図である。
【図２０】本発明の第４の実施の形態に係る「濃度補正用画像生成処理」の手順を示すフローチャートである。
【発明を実施するための形態】
【００２７】
以下、図面を参照して本発明の実施の形態の一例を詳細に説明する。
【００２８】
−第１の実施の形態−
＜画像形成装置＞
まず、本実施の形態に係る画像形成装置について説明する。
図１は本実施の形態に係る画像形成装置を含むシステムの一例を示すブロック図である。図１に示すように、画像形成システムは、画像形成装置１００及び端末装置１０２を備えている。画像形成装置１００と端末装置１０２とは、通信回線１０４により接続されている。端末装置１０２は、利用者が使用するコンピュータ等の情報処理装置である。画像形成装置１００は、用紙上に画像を形成する印刷装置等である。なお、画像形成システムの構成は一例であり、これに限定されるものではない。
【００２９】
端末装置１０２は、電子文書を取得し、画像形成装置１００に電子文書の印刷を指示する。画像形成装置１００は、端末装置１０２から、印刷指示や電子文書の画像情報と共に、画像形成情報を取得する。画像形成情報とは、ページ、部数、用紙サイズ、用紙１枚に印刷するページ数、余白等の印刷属性を表す情報である。画像形成装置１００は、端末装置１０２から印刷指示を受けると、画像形成情報に基づいて指定サイズの用紙を選択する。続いて、画像情報に基づいて用紙上に文書画像を形成し、文書画像が形成された用紙を印刷物として出力する。
【００３０】
本実施の形態では、画像形成装置１００は、形成される画像の濃度を色毎に補正する「濃度補正処理」を予め定めた期間毎に実施する。濃度補正処理を実施する際に、単位処理に係る画像情報及び画像形成情報を先行取得して、先行取得した画像情報等に応じて濃度補正の対象色を決定する。具体的には、次の単位処理で画像形成に使用される色を先読みして、使用される色を補正対象色とする。また、濃度補正履歴に応じて濃度補正の制限を変更する。具体的には、補正対象色が前回濃度補正された実施色の場合には補正量を制限し、補正対象色が前回濃度補正されていない未実施色の場合には補正量の制限を緩和する。具体的な制御処理については後で詳細に説明する。
【００３１】
なお、ここでの「単位処理」とは、前回の濃度補正後で且つ次回の濃度補正前に、頁毎に画像が形成されるひとまとまりの処理を意味する。即ち、本実施の形態では、印刷指示により実行される一連の処理（ジョブ）中に複数回の濃度補正処理が実施され、一連の処理（ジョブ）が複数の単位処理に分割して実施される場合について説明する。
【００３２】
次に、本実施の形態に係る画像形成装置の構成の一例について説明する。
本実施の形態に係る画像形成装置は、トナーを含む電子写真用現像剤を用いて、用紙上に画像を形成する電子写真方式の画像形成装置である。本実施の形態では、いわゆるタンデム型で中間転写方式の画像形成装置について説明する。しかしながら、画像形成装置は、本実施の形態の「濃度補正処理」を実施する仕組みを備えていればよく、画像形成装置の構成はこれに限定される訳ではない。例えば、ロータリー現像方式の画像形成装置等でもよい。
【００３３】
図２は本実施の形態に係る画像形成装置の全体構成の一例を示す概略図である。図３は本実施の形態に係る画像形成装置の制御系の構成の一例を示すブロック図である。図２及び図３に示すように、本実施の形態に係る画像形成装置１００は、操作表示部１０、画像読取部２０、画像形成部３０、用紙供給部４０、用紙排出部５０、濃度検出部６０、通信部８０、記憶部９０、及び制御部７０を備えている。画像形成部３０、用紙供給部４０、及び用紙排出部５０の各々は、点線で図示した用紙搬送路に沿って、用紙供給部４０、画像形成部３０、及び用紙排出部５０の順序で配置されている。
【００３４】
濃度検出部６０は、画像形成部３０を構成する像保持体の周囲に、像保持体と対向するように配置されている。本実施の形態では、像保持体は、後述する中間転写ベルト３６である。濃度検出部６０は、画像形成部３０を構成する画像形成ユニット３２に対し、中間転写ベルト３６の移動方向（矢印Ｂ方向）の下流側に配置されている。画像形成部３０は、中間転写ベルト３６上に濃度補正用画像を形成する。濃度検出部６０は、中間転写ベルト３６や中間転写ベルト３６上に形成された濃度補正用画像からの反射光量を測定して、濃度補正用画像の濃度を検出する。ここで得られた濃度が「実測濃度」である。
【００３５】
制御部７０は、装置全体の制御及び各種演算を行うコンピュータとして構成されている。即ち、制御部７０は、ＣＰＵ（中央処理装置;  Central Processing Unit）７０Ａ、各種プログラムを記憶したＲＯＭ（Read Only Memory）７０Ｂ、プログラムの実行時にワークエリアとして使用されるＲＡＭ（Random Access Memory）７０Ｃ、各種情報を記憶する不揮発性メモリ７０Ｄ、及び入出力インターフェース（Ｉ／Ｏ）７０Ｅを備えている。ＣＰＵ７０Ａ、ＲＯＭ７０Ｂ、ＲＡＭ７０Ｃ、不揮発性メモリ７０Ｄ、及びＩ／Ｏ７０Ｅの各々は、バス７０Ｆを介して接続されている。
【００３６】
操作表示部１０、画像読取部２０、画像形成部３０、用紙供給部４０、用紙排出部５０、濃度検出部６０、通信部８０、及び記憶部９０の各部は、制御部７０のＩ／Ｏ７０Ｅに接続されている。制御部７０は、操作表示部１０、画像読取部２０、画像形成部３０、用紙供給部４０、用紙排出部５０、濃度検出部６０、通信部８０、及び記憶部９０の各部との間で情報の授受を行って、各部を制御する。また、制御部７０は、濃度検出部６０から実測濃度を取得する。
【００３７】
なお、画像形成装置は、複数の搬送ローラ４６を有している。複数の搬送ローラ４６は、点線で図示した用紙搬送路に沿って配置されている。複数の搬送ローラ４６は、図示しない駆動機構により駆動されて、画像形成動作に応じて用紙を搬送する。
【００３８】
操作表示部１０は、スタートボタンやテンキー等の各種ボタン、警告画面や設定画面等の各種画面を表示するためのタッチパネルなどを含んで構成されている。操作表示部１０は、上記構成により、利用者からの操作を受け付けると共に、利用者に対し各種情報を表示する。本実施の形態では、操作表示部１０により、使用されていない現像装置を稼動状態とするか停止状態とするかの設定を、利用者から受け付ける例について説明する。
【００３９】
画像読取部２０は、イメージセンサ等、用紙上に形成された画像を光学的に読み取る画像読み取り装置、用紙を走査するための走査機構等を含んで構成されている。画像読取部２０は、上記構成により、画像読取部２０に置かれた原稿用紙の画像を読み取り、画像情報を生成する。
【００４０】
画像形成部３０は、電子写真方式により用紙上に画像を形成するものである。本実施の形態では、黒（Ｋ）、シアン（Ｃ）、マゼンタ(Ｍ）、イエロー（Ｙ）、第１特別色（Ｖ）及び第２特別色（Ｗ）の６色のトナーが使用される例について説明する。本実施の形態では、ＫＣＭＹＶＷ６色のトナーを使用する６色カラーモード（６Ｃモード）、ＫＣＭＹ４色のトナーを使用する４色カラーモード（４Ｃモード）、Ｋ色のトナーを使用する白黒モード（単Ｋモード）等、種々のモードにより画像が形成される。なお、カラーモード選択情報は、画像形成情報として取得される。
【００４１】
ここで、第１特別色（Ｖ）は、レッド、グリーン、ブルー、白などの特色である。例えば、画像形成装置の提供企業が使用するコーポレートカラー等としてもよい。第２特別色（Ｗ）は、画像に光沢等を付与するために使用される透明な色である。ここで「透明」とは、可視光を透過する性質を意味する。例えば、可視光の透過率が７０％以上であることを「透明」としてもよい。
【００４２】
画像形成部３０は、Ｋ色のトナー像を形成する画像形成ユニット３２Ｋ、Ｃ色のトナー像を形成する画像形成ユニット３２Ｃ、Ｍ色のトナー像を形成する画像形成ユニット３２Ｍ、Ｙ色のトナー像を形成する画像形成ユニット３２Ｙ、Ｖ色のトナー像を形成する画像形成ユニット３２Ｖ、及びＷ色のトナー像を形成する画像形成ユニット３２Ｗを備えている。また、画像形成部３０は、矢印Ｂ方向に移動するように複数のローラ３４に巻き掛けられた中間転写ベルト３６、中間転写ベルト３６上のトナー像を用紙上に一括転写する二次転写装置３８、及び二次転写されたトナー像を定着する定着装置３９を含んで構成されている。
【００４３】
画像形成ユニット３２Ｋ、３２Ｃ、３２Ｍ、３２Ｙ、３２Ｖ及び３２Ｗの各々は、中間転写ベルト３６が矢印Ｂ方向に移動した場合に、中間転写ベルト３６上にＷ色、Ｖ色、Ｙ色、Ｍ色、Ｃ色、及びＫ色の順序でトナー像が形成されるように、図示した順序で配置されている。以下では、各色を区別する必要がない場合には、画像形成ユニット３２と総称する。画像形成ユニット３２は、感光体ドラム、帯電装置、露光装置、現像装置、転写装置、クリーニング装置等を含んで構成されている。感光体ドラムは、矢印方向に回転するように構成されている。
【００４４】
中間転写ベルト３６は、駆動ローラ３４Ａ、背面支持ローラ３４Ｂ、張力付与ローラ３４Ｃ、及び従動ローラ３４Ｄに巻き掛けられている。これらのローラを区別する必要がない場合には、複数のローラ３４と総称する。複数のローラ３４は、図示しない駆動機構により駆動されている。駆動機構により駆動ローラ３４Ａが回転駆動されることにより、中間転写ベルト３６は予め定めた速度で矢印Ｂ方向に移動する。また、駆動機構により張力付与ローラ３４Ｃが外側に移動することにより、中間転写ベルト３６に予め定めた張力が付与されている。
【００４５】
画像形成部３０は、具体的には以下の手順で画像を形成する。
画像形成ユニット３２Ｋにより、Ｋ色のトナー像を中間転写ベルト３６上に転写する。画像形成ユニット３２Ｋでは、感光体ドラムが、帯電装置により帯電される。露光装置は、帯電された感光体ドラム上をＫ色画像に応じた光で露光する。これにより、感光体ドラム上にＫ色画像に応じた静電潜像が形成される。現像装置は、感光体ドラム上に形成された静電潜像をＫ色トナーにより現像する。転写装置は、感光体ドラム上に形成されたＫ色のトナー像を、中間転写ベルト３６上に転写する。
【００４６】
同様に、画像形成ユニット３２Ｃにより、Ｃ色のトナー像を中間転写ベルト３６上に転写する。また、画像形成ユニット３２Ｍにより、Ｍ色のトナー像を中間転写ベルト３６上に転写する。また、画像形成ユニット３２Ｙにより、Ｙ色のトナー像を中間転写ベルト３６上に転写する。また、画像形成ユニット３２Ｖにより、Ｖ色のトナー像を中間転写ベルト３６上に転写する。また、画像形成ユニット３２Ｗにより、Ｗ色のトナー像を中間転写ベルト３６上に転写する。
【００４７】
中間転写ベルト３６上には、Ｋ色、Ｃ色、Ｍ色、Ｙ色、Ｖ色及びＷ色のトナー像が重ね合わされて「重ねトナー像」が形成される。二次転写装置３８は、中間転写ベルト３６上の「重ねトナー像」を、用紙上に一括転写する。定着装置３９は、用紙上に一括転写された「重ねトナー像」を加熱等により定着する。
【００４８】
画像形成装置１００により用紙上に形成される画像の濃度は、上記の通り複雑な工程を経て形成されるため、環境条件を含む種々の要因により変動する。本実施の形態では、画像形成ユニット３２Ｋ、３２Ｃ、３２Ｍ、３２Ｙ及び３２Ｖの少なくとも１つにより、中間転写ベルト３６上に濃度補正用画像群Ｇ２（図５参照）を形成し、各濃度補正用画像Ｐの実測濃度を濃度検出部６０で取得して、実測濃度と目標濃度との比較結果に基づいて濃度補正処理を実施する。また、本実施の形態では、先行取得した単位処理に係る画像情報及び画像形成情報に基づいて、単位処理に係る画像形成で使用される色から補正対象色を決定し、補正対象色について濃度補正を行う。換言すれば、単位処理に対する濃度補正が行われた後に、単位処理に係る画像形成が行われる。
【００４９】
用紙供給部４０は、用紙が収容される用紙収容部４２、用紙収容部４２から画像形成部３０に用紙を供給する供給機構等を含んで構成されている。供給機構は、用紙収容部４２から用紙を取り出す取出ローラ４４、搬送ローラ４６等で構成されている。用紙の種類やサイズに応じて、複数の用紙収容部４２が設けられている。用紙供給部４０は、いずれかの用紙収容部４２から用紙を取り出し、画像形成部３０に供給する。用紙排出部５０は、用紙が排出される排出部５４、用紙を排出部５４上に排出させるための排出機構等を含んで構成されている。
【００５０】
濃度検出部６０は、ＬＥＤ（Light Emitting Diode）等の発光素子及びＰＤ（Photo Diode）等の受光素子を有する光センサとして構成されている。濃度検出部６０は、上記の構成により、中間転写ベルト３６上に形成された濃度補正用画像Ｐに検出光を照射すると共に、濃度補正用画像Ｐから反射された反射光の光量を検出する。濃度検出部６０は、Ｋ色の濃度補正用画像Ｐからは正反射光の光量を検出し、Ｋ色以外のＹＭＣＶＷ各色の濃度補正用画像Ｐからは拡散反射光の光量を検出する。検出された光量に応じた「実測濃度」が、濃度検出部６０から出力される。
【００５１】
通信部８０は、有線又は無線の通信回線を介して外部装置と通信を行うためのインターフェースである。通信部８０は、外部装置から、印刷指示や電子文書の画像情報と共に、画像形成情報を取得する。記憶部９０は、ハードディスク等の記憶装置を備えている。記憶部９０には、ログデータ等の各種データ、各種プログラム等が記憶される。
【００５２】
本実施の形態では、後述する「画像形成処理」の制御プログラムが、ＲＯＭ７０Ｂに予め記憶されている場合について説明する。予め記憶された制御プログラムは、ＣＰＵ７０Ａにより読み出されて実行される。なお、制御プログラムは、記憶部９０等の他の記憶装置に記憶されていてもよいし、通信部８０を介して外部から取得されてもよい。また、本実施の形態では、ＲＯＭ７０Ｂには、後述する「濃度補正履歴」が予めグラフ、テーブル等の形式で記憶されている。
【００５３】
なお、制御部７０には、各種ドライブが接続されていてもよい。各種ドライブは、フレキシブルディスク、光磁気ディスク、ＣＤ−ＲＯＭなどのコンピュータ読み取り可能な可搬性の記録媒体からデータを読み込んだり、記録媒体に対してデータを書き込んだりする装置である。各種ドライブを備える場合には、可搬性の記録媒体に制御プログラムを記録しておいて、これを対応するドライブで読み込んで実行してもよい。
【００５４】
＜濃度補正用画像＞
次に、濃度補正用画像について説明する。
図４は中間転写ベルト上の画像領域と非画像領域とを示す平面図である。図４に示すように、中間転写ベルト３６上には、異なる用紙上に転写される複数の画像Ｇ１が形成される。中間転写ベルト３６の移動方向（矢印Ｂ方向）に対し、画像Ｇ１が形成される領域を画像領域Ｓ１という。画像領域Ｓ１とこれに隣接する画像領域Ｓ１との間は、画像Ｇ１が形成されない非画像領域Ｓ２となる。濃度補正用画像群Ｇ２は、非画像領域Ｓ２に形成される。
【００５５】
本実施の形態では、単位処理に係る画像形成が行われる前に、単位処理に対する濃度補正処理が行われる。従って、単位処理に係る濃度補正用画像群Ｇ２は、単位処理に係る画像Ｇ１が形成される画像領域Ｓ１の上流側にある非画像領域Ｓ２に形成される。なお、濃度補正用画像群Ｇ２は用紙上に二次転写されずに除去される。
【００５６】
図５は中間転写ベルト上に形成される濃度補正用画像群の構成を示す模式図である。図５に示すように、濃度補正用画像群Ｇ２は、複数の濃度補正用画像Ｐを有している。ここでは、濃度補正用画像Ｐをパッチ画像Ｐという。複数のパッチ画像Ｐの各々は、特定の１色（例えば、Ｋ色）によって形成されたトナー像である。複数のパッチ画像Ｐは、中間転写ベルト３６の移動方向（矢印Ｂ方向）に沿って、中間転写ベルト３６上に一次元状に配列されている。即ち、複数のパッチ画像Ｐを配列した画像群が、濃度補正用画像群Ｇ２である。
【００５７】
１つのパッチ画像Ｐは、予め定めた面積に予め定めた面積率で形成される画像である。図５に示す例では、複数のパッチ画像Ｐは、各々異なる「面積率」を有している。パッチ画像Ｐの「面積率」は、例えば「６０％」のように、単位面積当たりの露光面積率で表される。なお、本実施の形態では、複数のパッチ画像Ｐの面積率は段階的に変化するため、以下では、パッチ画像の面積率を「階調」又は「階調値」と称する。即ち、複数のパッチ画像Ｐは、配列方向に沿って「階調」が増加又は減少するように配列されている。
【００５８】
図５に示す例では、濃度補正用画像群Ｇ２は、Ｙ色濃度補正用画像群Ｇ２Ｙ、Ｍ色濃度補正用画像群Ｇ２Ｍ、及びＣ色濃度補正用画像群Ｇ２Ｃを有している。Ｙ色濃度補正用画像群Ｇ２Ｙは、４個のＹ色のパッチ画像Ｐ１〜Ｐ４を有している。Ｍ色濃度補正用画像群Ｇ２Ｍは、４個のＭ色のパッチ画像Ｐ５〜Ｐ８を有している。Ｃ色濃度補正用画像群Ｇ２Ｃは、４個のＣ色のパッチ画像Ｐ９〜Ｐ１２を有している。１２個のパッチ画像Ｐ１〜Ｐ１２は、図面上で左側から右側に向かってＹ色、Ｍ色、Ｃ色の順序で配列されている。ＹＭＣ各色については、図面上で左側から右側に向かって階調が減少する。
【００５９】
中間転写ベルト３６が矢印Ｂ方向に移動することにより、濃度検出部６０によって、中間転写ベルト３６上に形成された濃度補正用画像群Ｇ２の各パッチ画像Ｐからの反射光量が順次測定されて、画像濃度が検出される。上記では、ＹＭＣ各色のパッチ画像Ｐを含む濃度補正用画像群Ｇ２を例示したが、これに限定されるわけではない。本実施の形態では、次に画像形成で使用される色を補正対象とし、対象色のパッチ画像Ｐを含む濃度補正用画像群Ｇ２を形成する。例えば、Ｙ色及びＣ色が対象色とされた場合には、Ｙ色のパッチ画像ＰとＣ色のパッチ画像Ｐを含む濃度補正用画像群Ｇ２を形成する。また、パッチ画像Ｐは必要な個数だけ形成すればよい。例えば、１個のパッチ画像Ｐだけを形成してもよい。
【００６０】
＜画像形成装置の動作＞
次に、画像形成装置の動作について説明する。
ここでは、制御部７０による各種処理を画像形成装置の動作として説明する。図６は本実施の形態に係る画像形成装置の制御系の構成の一例を示す機能ブロック図である。即ち、制御部７０による処理の全体を機能ブロックで表したものである。また、図７〜図９の各々は図６に示す各部をより詳細な機能ブロックで表したものである。
【００６１】
図６に示すように、制御部７０は、画像処理部７１、画像情報記憶部７２ 、画像形成駆動制御部７３、情報先行取得部７４、先行取得情報記憶部７５、濃度補正部７６、及び濃度補正履歴記憶部７７を備えている。図７に示すように、画像処理部７１は、特別色指定情報取得部８１、画像展開部８２、色変換処理部８３、及び出力画像処理部８４を備えている。また、情報先行取得部７４は、各色画像有無情報取得部８５、及び補正対象色決定部８６を備えている。
【００６２】
図６に示すように、画像処理部７１は、通信部８０を介して印刷指示と共に単位処理に係る画像情報及び画像形成情報を取得する。ここで画像情報は、ページ記述言語で記述された情報（ＰＤＬデータ）として取得される。図７に示す画像処理部７１では、画像展開部８２は、ページ記述言語で記述された情報を展開処理して、頁毎にＲＧＢ各色に展開処理された画像情報（ラスタデータ）を取得する。展開処理された画像情報（ＲＧＢデータ）は、色変換処理部８３に出力される。
【００６３】
また、特別色指定情報取得部８１は、画像形成情報から特別色を指定する特別色指定情報を取得して、色変換処理部８３に出力する。例えば、画像形成情報がカラーモード選択情報としてＫＣＭＹＶＷ６色のトナーを使用する「６Ｃモード」を含む場合には、特別色Ｖ、特別色Ｗの２色が指定されていることになる。
【００６４】
色変換処理部８３は、展開処理された画像情報（ＲＧＢデータ）を、画像形成装置で再現可能なＹＭＣＫ各色で表現された画像情報（ＹＭＣＫデータ）に変換する。ここで、特別色Ｖが指定されている場合は、ＲＧＢデータを、ＹＭＣＫＶ各色で表現されたＹＭＣＫＶデータに変換する。色変換処理後の画像情報は、出力画像処理部８４に出力されると共に、情報先行取得部７４に出力される。ここでは、特別色Ｖ、特別色Ｗの２色が指定されており、ＹＭＣＫＶデータが出力される場合について説明する。なお、特別色Ｗは透明色であるため、出力画像処理部８４に特別色Ｗの指定がある旨が通知される。
【００６５】
出力画像処理部８４は、色変換処理後の画像情報に対し、γ変換処理、精細度処理、中間調処理等の画像処理を施し、画像Ｇ１を形成するための画像形成用画像情報（ＹＭＣＫＶデータ）を取得する。画像形成用画像情報は、画像情報記憶部７２に記憶される。図７に示す情報先行取得部７４では、各色画像有無情報取得部８５は、濃度補正部７６から補正時期情報を取得し、画像処理部７１から取得した色変換処理後の画像情報を解析して、次回の濃度補正前にＹＭＣＫＶ各色で形成される画像が有るか否かを表す各色画像有無情報を取得する。各色画像有無情報は、補正対象色決定部８６に出力される。
【００６６】
また、ＹＭＣＫＶ各色で形成される画像が有るか否かは、次回の濃度補正前に各色で形成される画像の像密度の合計値が予め定めた値以上か否かで判断してもよい。像密度の合計値が予め定めた値以上の場合に、各色で形成される画像が有ると判断される。また、ＹＭＣＫＶ各色で形成される画像が有るか否かは、次回の濃度補正前に各色で形成される画像の種類に応じて判断してもよい。例えば、点や線の画像のみである場合は、各色で形成される画像は無いと判断してもよい。
【００６７】
また、ＹＭＣＫＶ各色で形成される画像が有るか否かは、色変換処理後の画像情報及び画像形成情報を解析して取得してもよい。例えば、カラーモードとして白黒モードが設定されている場合には、Ｋ色以外の色で形成される画像は無いと判断してもよい。
【００６８】
補正対象色決定部８６は、各色画像有無情報を取得すると共に、特別色指定情報取得部８１から特別色指定情報を取得する。補正対象色決定部８６は、取得された各色画像有無情報及び特別色指定情報に基づいて、濃度補正の対象となる対象色を決定し、対象色情報を取得する。例えば、画像形成に使用される色と特別色として指定された色とを対象色としてもよい。或いは、特別色が指定されていても画像形成に使用されない場合は対象色とせず、画像形成に使用される色だけを対象色としてもよい。対象色情報は、先行取得情報として先行取得情報記憶部７５に記憶される。なお、単位処理に係る画像情報及び画像形成情報が先行取得されるが、ここでは画像情報等を解析して取得された「対象色情報」を「先行取得情報」とする。
【００６９】
図８に示すように、濃度補正部７６は、濃度補正用に使用される部分画像情報記憶部９１、濃度補正用画像生成部９２ 、濃度比較部９３、補正情報生成部９４、補正情報格納部９５、及び補正時期管理部９６を備えている。補正時期管理部９６は、予め定めた期間毎に到来する濃度補正の時期を表す補正時期情報を、濃度補正用画像生成部９２、補正情報格納部９５、及び情報先行取得部７４に通知する。
【００７０】
部分画像情報記憶部９１には、濃度補正用画像群Ｇ２を生成するための部分画像情報が記憶されている。濃度補正用画像生成部９２は、補正時期情報が通知されると、先行取得情報記憶部７５から対象色情報を読み出す。そして、補正対象色については、部分画像情報記憶部９１に記憶された部分画像情報を用いて、濃度補正用画像情報（例えば、ＹＭＣＫＶデータ）を生成する。濃度補正用画像情報は、画像情報記憶部７２に記憶される。
【００７１】
後述する通り、画像形成駆動制御部７３は、濃度補正用画像情報に基づいて中間転写ベルト３６上に濃度補正用画像群Ｇ２を形成する。濃度比較部９３は、濃度検出部６０から濃度補正用画像群Ｇ２の実測濃度を取得し、画像形成駆動制御部７３から目標濃度を取得して、取得された実測濃度と目標濃度とを比較する。濃度比較部９３による比較結果は、補正情報生成部９４に出力される。補正情報生成部９４は、濃度補正履歴記憶部７７から濃度補正履歴情報を取得し、比較結果及び濃度補正履歴情報に基づいて、濃度補正に用いる補正情報を生成する。後で詳しく説明するが、補正対象色が前回濃度補正された実施色の場合には補正量を制限し、補正対象色が前回濃度補正されていない未実施色の場合には補正量の制限を緩和する。
【００７２】
補正情報生成部９４で生成された補正情報は、補正情報格納部９５に格納される。本実施の形態では、補正情報が、色毎の光量補正データである場合について説明する。補正情報格納部９５は、通知された補正時期が到来すると、補正情報を画像形成駆動制御部７３に出力すると共に、新たな補正情報を濃度補正履歴記憶部７７に記憶して補正履歴を更新する。
【００７３】
図９に示すように、画像情報記憶部７２には、画像形成用画像情報１１０と濃度補正用画像情報１１１とが記憶されている。画像形成駆動制御部７３は、出力情報選択部１１２、パルス幅変調部１１３、露光装置駆動部１１４、及び現像装置駆動部１１５を備えている。
【００７４】
出力情報選択部１１２は、画像情報記憶部７２に記憶された画像形成用画像情報１１０と濃度補正用画像情報１１１とを、単位処理に係る画像形成が行われる前に単位処理に対する濃度補正が行われるように、設定された順序に従って順次選択して出力する。パルス幅変調部１１３は、出力情報選択部１１２から出力される各色の画像情報を、その濃度に応じてパルス幅変調することで、パルスのオンタイムの長さに変換する。パルス幅変調された画像情報（ＹＭＣＫＶデータ）は、各色の光量データとして露光装置駆動部１１４に出力される。また、露光装置駆動部１１４は、濃度補正部７６から光量データを補正するための光量補正データを取得する。
【００７５】
露光装置駆動部１１４は、画像形成用画像情報１１０に基づいて中間転写ベルト３６上に画像群Ｇ１を形成する場合に、各色の光量データ及び光量補正データに基づいて、光量補正を行いながら画像形成部３０の各色の露光装置（Ｙ色露光装置１１６Ｙ、Ｍ色露光装置１１６Ｍ、Ｃ色露光装置１１６Ｃ、Ｋ色露光装置１１６Ｋ、Ｖ色露光装置１１６Ｖ、及びＷ色露光装置１１６Ｗ）を駆動する。なお、透明色であるＷ色については、光量補正データは生成されず、光量補正は行われない。
【００７６】
現像装置駆動部１１５は、操作表示部１０から取得された設定情報に基づいて、画像形成部３０の各色の現像装置（Ｙ色現像装置１１７Ｙ、Ｍ色現像装置１１７Ｍ、Ｃ色現像装置１１７Ｃ、Ｋ色現像装置１１７Ｋ、Ｖ色現像装置１１７Ｖ、及びＷ色現像装置１１７Ｗ）を駆動する。ここで「設定情報」とは、使用されていない現像装置を稼動状態とするか停止状態とするかの設定情報である。
【００７７】
＜画像形成処理＞
次に、画像形成装置で実行される「画像形成処理」の手順を簡単に説明する。
図１２は本実施の形態に係る画像形成装置の「画像形成処理」の手順を示すフローチャートである。「画像形成処理」の制御プログラムは、ＲＯＭ７０Ｂから読み出され、ＣＰＵ７０Ａにより実行される。「画像形成処理」の制御プログラムは、通信部８０を介して端末装置からの印刷指示を受け取ると開始される。なお、処理中に取得された情報は、ワークエリアであるＲＡＭ７０Ｃに記憶されて使用される。
【００７８】
図１２に示すように、まず、ステップ１００で、単位処理に係る画像情報と画像形成情報とを取得する。次に、ステップ１０２で、画像形成情報から特別色指定情報を取得する。次に、ステップ１０４で、ページ記述言語で記述された画像情報を展開処理して、頁毎にＲＧＢ各色に展開処理された画像情報（ラスタデータ）を取得する。次に、ステップ１０６で、展開処理された画像情報（ＲＧＢデータ）を、画像形成装置で再現可能な色で表現された画像情報（ＹＭＣＫデータ又はＹＭＣＫＶデータ）に色変換処理する。「色変換処理」の詳細については後述する。
【００７９】
次に、ステップ１０８で、色変換処理後の画像情報に対し、γ変換処理、精細度処理、中間調処理等の画像処理を施し、画像Ｇ１を形成するための画像形成用画像情報（ＹＭＣＫＶデータ）を取得する。次に、ステップ１１０で、画像形成用画像情報をＲＡＭ７０Ｃに記憶する。
【００８０】
ステップ１０８及びステップ１１０と並行して、ステップ１１２で、色変換処理後の画像情報を用いて、濃度補正用画像情報を生成する「濃度補正用画像生成処理」を実行する。次に、ステップ１１４で、生成された濃度補正用画像情報をＲＡＭ７０Ｃに記憶する。
【００８１】
次に、ステップ１１６で、操作表示部１０から利用者の設定情報を取得する。次に、ステップ１１８で、利用者の設定情報に基づいて、使用しない現像装置を稼動状態又は停止状態とするように、画像形成部３０の各色の現像装置を駆動制御する。なお、単位処理に係る画像形成に使用されない現像装置は、単位処理に対する濃度補正にも使用されない。このため現像装置の状態情報は、濃度補正履歴として記憶される。
【００８２】
次に、ステップ１２０で、濃度補正用画像情報に基づいて中間転写ベルト３６上に濃度補正用画像群Ｇ２を形成するように、画像形成部３０の各部を駆動制御する。次に、ステップ１２２で、濃度補正用画像群Ｇ２を用いて「濃度補正処理」を実行する。単位処理に係る画像形成が行われる前に、単位処理に対する濃度補正が行われる。「濃度補正処理」の詳細については後述する。
【００８３】
次に、ステップ１２４で、画像形成用画像情報に基づいて中間転写ベルト３６上に画像Ｇ１を形成するように、画像形成部３０の各部を駆動制御する。画像Ｇ１を形成する場合には、各色の光量データ及び光量補正データに基づいて、光量補正を行いながら画像形成部３０の各色の露光装置が駆動される。画像Ｇ１を形成して「画像形成処理」のルーチンを終了する。
【００８４】
（色変換処理）       
次に、「色変換処理」について説明する。図１３は「色変換処理」の手順を示すフローチャートである。図１３に示すように、ステップ２００で、特別色の指定があるか否かを判断する。特別色が指定されている場合は、ステップ２０２に進み、指定された特別色が色変換される特別色Ｖであるか否かを判断する。特別色Ｖが指定されている場合は、ステップ２０４に進み、展開処理された画像情報（ＲＧＢデータ）を、ＹＭＣＫＶ各色で表現された画像情報（ＹＭＣＫＶデータ）に色変換処理してルーチンを終了する。特別色Ｖが指定されていない場合及び特別色の指定がない場合は、ステップ２０６に進み、ＲＧＢデータをＹＭＣＫデータに色変換処理してルーチンを終了する。
【００８５】
（濃度補正用画像生成処理）
次に、「濃度補正用画像生成処理」について説明する。図１４は「濃度補正用画像生成処理」の手順を示すフローチャートである。図１４に示すように、ステップ３００で、色変換処理後の画像情報（ＹＭＣＫデータ又はＹＭＣＫＶデータ）を取得する。次に、ステップ３０２で、濃度補正の時期を表す補正時期情報を取得する。次に、ステップ３０４で、色変換処理後の画像情報を解析して、次回の濃度補正前にＹＭＣＫＶ各色で形成される画像が有るか否かを表す各色画像有無情報を取得する。
【００８６】
次に、ステップ３０６で、特別色指定情報を取得する。次に、ステップ３０８で、取得された各色画像有無情報及び特別色指定情報に基づいて、濃度補正の対象となる対象色を決定し、対象色情報を取得する。次に、ステップ３１０で、補正時期情報及び対象色情報に応じて、予め記憶された部分画像情報を用いて、補正対象色について濃度補正用画像情報（例えば、ＹＭＣＫＶデータ）を生成してルーチンを終了する。
【００８７】
（濃度補正処理）
次に、「濃度補正処理」について説明する。図１５は「濃度補正処理」の手順を示すフローチャートである。図１５に示すように、ステップ４００で、濃度検出部６０から濃度補正用画像群Ｇ２の各濃度補正用画像Ｐの実測濃度を取得する。次に、ステップ４０２で、各濃度補正用画像Ｐの目標濃度を取得する。次に、ステップ４０４で、濃度補正履歴情報を取得する。次に、ステップ４０６で、補正時期情報を取得する。
【００８８】
次に、ステップ４０８で、最初の濃度補正用画像Ｐについて、実測濃度と目標濃度とを比較して比較結果を取得する。次に、ステップ４１０で、濃度補正履歴情報に基づいて補正制限を変更して、濃度補正を行うための補正情報を取得する「履歴対応補正処理」を実行する。本実施の形態では、露光装置の光量データを補正する光量補正データを補正情報として取得する。次に、ステップ４１２で、補正情報をＲＡＭ７０Ｃに記憶する。
【００８９】
次に、ステップ４１４で、次の濃度補正用画像があるか否かを判断する。次の濃度補正用画像がある場合は、ステップ４２２に進み、次の濃度補正用画像について、実測濃度と目標濃度とを比較して比較結果を取得する。そして、ステップ４１０に戻って「履歴対応補正処理」を実行し、ステップ４１２で補正情報をＲＡＭ７０Ｃに記憶する。すべての濃度補正用画像に対して履歴対応補正処理が実行されるまで、ステップ４１０、４１２、４１４及び４２２の手順を繰り返し行う。
【００９０】
一方、次の濃度補正用画像が無い場合は、ステップ４１６に進み、新たな補正情報を加えて濃度補正履歴情報を更新する。次に、ステップ４１８で、補正時期情報に基づいて補正時期が到来したか否かを判断する。補正時期が到来するまで、ステップ４１８の判断を繰り返し行う。補正時期が到来すると、ステップ４２０に進み、ＲＡＭ７０Ｃに記憶しておいた補正情報を出力して、ルーチンを終了する。
【００９１】
（履歴対応補正処理）
次に、「履歴対応補正処理」について説明する。図１６は「履歴対応補正処理」の手順を示すフローチャートである。図１６に示すように、ステップ５００で、濃度補正履歴情報に基づいて、濃度補正用画像の色（補正対象色）が前回濃度補正を実施した色か否かを判断する。補正対象色が前回濃度補正された実施色の場合には、ステップ５０２に進む。ステップ５０２で、補正量が第１の上限値以内となるように補正情報を生成してルーチンを終了する。即ち、補正量を第１の上限値以内に制限する。ここで「第１の上限値」は、補正前後の濃度が大幅に変動しないように予め設定された値である。
【００９２】
補正対象色が前回濃度補正されていない未実施色の場合には、ステップ５０４に進む。ステップ５０４で、補正量が第２の上限値以内となるように補正情報を生成してルーチンを終了する。ここで「第２の上限値」は、補正前後の濃度変動を許容するように予め設定された値である。従って、「第２の上限値」は「第１の上限値」よりも大きい。即ち、補正対象色が未実施色の場合には、補正量の制限を緩和する。前回濃度補正されていない未実施色は、前回画像形成に使用されていない色でもあり、補正前後の濃度変動に対する許容範囲が広い。
【００９３】
ここで、ジョブと称される一連処理中に濃度補正を４回行った場合の実験結果について説明する。図１０は本実施の形態に係る画像形成装置での濃度補正による濃度変化を示すグラフである。これに対し、図１１は従来の画像形成装置での濃度補正による濃度変化を示すグラフである。黒丸は、濃度補正が実施されたことを示す。実線は実測濃度を示し、点線は目標濃度を示す。
【００９４】
本実施の形態に係る画像形成装置では、上記の「履歴対応補正処理」を実施しているが、従来の画像形成装置では、「履歴対応補正処理」を実施していない。従って、従来の画像形成装置では、補正対象色が実施色か未実施色かに拘わらず、補正量を第１の上限値以内に制限する。また、従来の画像形成装置では、濃度変動が目立たないように、複数頁に分けて濃度補正を行う分割補正を実施している。
【００９５】
この例では、一連処理中の１回目の濃度補正時には、次回の濃度補正までにＭ色で形成される画像が無く、Ｍ色は補正対象色とされていない。図１１に示す従来例では、一連処理中の２回目の濃度補正時に、Ｍ色は前回濃度補正されていない未実施色であるが、補正量が第１の上限値以内に制限される。この例では、２回目の濃度補正時にＭ色濃度は大幅に低下している。しかしながら、補正量が制限されているため、Ｍ色濃度は濃度補正後も目標濃度に到達しない。また、分割補正であるため、濃度補正に時間がかかる。              
【００９６】
図１０に示すように、本実施の形態では、一連処理中の２回目の濃度補正時に、Ｍ色は前回濃度補正されていない未実施色であり、補正量の制限が緩和される。従って、Ｍ色濃度は濃度補正後に目標濃度に到達する。また、一括補正であるため、濃度補正の直後に目標濃度に到達する。即ち、本実施の形態では、従来例に比べて、目標濃度に対する濃度追従性が向上する。
【００９７】
また、この例では、一連処理中の２回目、３回目の濃度補正時には、次回の濃度補正までにＣ色で形成される画像が無く、Ｃ色は補正対象色とされていない。図１１に示す従来例では、一連処理中の４回目の濃度補正時に、補正量が制限されているため、Ｃ色濃度は濃度補正後も目標濃度に到達しない。これに対し、図１０に示す本実施の形態では、一連処理中の４回目の濃度補正時に、Ｃ色は前回濃度補正されていない未実施色であり、補正量の制限が緩和されて、Ｃ色濃度は濃度補正後に目標濃度に到達する。
【００９８】
なお、本実施の形態では、補正対象色が未実施色である場合に「一括補正」を行う例について説明したが、補正量の制限が緩和されていればよく、複数頁に分けて濃度補正を行う「分割補正」としてもよい。
【００９９】
−第２の実施の形態−
第１の実施の形態では、補正対象色が実施色か未実施色かで補正量の制限を変更する「履歴対応補正処理」の例について説明したが、第２の実施の形態では、補正時の現像装置の駆動状況も考慮して補正量の制限を変更する。「履歴対応補正処理」の手順以外は、第１の実施の形態と同様であるため、「履歴対応補正処理」の手順以外については説明を省略する。
【０１００】
（履歴対応補正処理）
図１７は本発明の第２の実施の形態に係る「履歴対応補正処理」の手順を示すフローチャートである。図１７に示すように、ステップ５０６で、濃度補正履歴情報に基づいて、濃度補正用画像の色（補正対象色）が前回濃度補正を実施した色か否かを判断する。補正対象色が前回濃度補正された実施色の場合には、ステップ５０８に進む。ステップ５０８で、補正量が第１の上限値以内となるように補正情報を生成してルーチンを終了する。
【０１０１】
補正対象色が前回濃度補正されていない未実施色の場合には、ステップ５１０に進む。ステップ５１０で、濃度補正履歴情報に基づいて、補正対象色が前回濃度補正時に現像装置を停止状態として濃度補正した色か否かを判断する。現像装置を停止状態として濃度補正した色である場合には、ステップ５１２に進む。ステップ５１２で、補正量が第２の上限値以内となるように補正情報を生成してルーチンを終了する。ここで「第２の上限値」は、補正前後の濃度変動を許容するように予め設定された値である。従って、「第２の上限値」は「第１の上限値」よりも大きい。
【０１０２】
一方、前回濃度補正時に現像装置を稼動状態として濃度補正した色である場合には、ステップ５１４に進む。ステップ５１４で、補正量が第３の上限値以内となるように補正情報を生成してルーチンを終了する。ここで「第３の上限値」は、補正前後の濃度変動を制限するように予め設定された値である。従って、「第３の上限値」は「第１の上限値」よりも大きく且つ「第２の上限値」よりも小さい。
【０１０３】
補正対象色が未実施色で且つ前回画像形成に使用されていない色であっても、現像装置を稼動状態としたまま（いわゆる「空回し」）であれば、現像装置を停止状態とした場合に比べて、補正対象色の濃度変動は小さいと予測される。従って、現像装置を稼動状態とした場合は、現像装置を停止状態とした場合に比べて、補正量の制限を厳しくする。
【０１０４】
−第３の実施の形態−
第１の実施の形態では、補正対象色が実施色か未実施色かで補正量の制限を変更する「履歴対応補正処理」の例について説明したが、第３の実施の形態では、補正量の制限が不要な場合を考慮して補正量の制限を変更する。「履歴対応補正処理」の手順以外は、第１の実施の形態と同様であるため、「履歴対応補正処理」の手順以外については説明を省略する。
【０１０５】
（履歴対応補正処理）
図１８は本発明の第３の実施の形態に係る「履歴対応補正処理」の手順を示すフローチャートである。図１８に示すように、ステップ５１６で、画像情報及び画像形成情報に基づいて、次回の画像形成が予め定めた時間以上先に実施されるか否か、即ち、予め定めた時間以内に画像形成が実施されないか否かを判断する。予め定めた時間以内に画像形成が実施される場合は、ステップ５１８に進む。
【０１０６】
ステップ５１８で、濃度補正履歴情報に基づいて、濃度補正用画像Ｐの色（補正対象色）が前回濃度補正を実施した色か否かを判断する。補正対象色が前回濃度補正された実施色の場合には、ステップ５２０に進む。ステップ５２０で、補正量が第１の上限値以内となるように補正情報を生成してルーチンを終了する。
【０１０７】
補正対象色が前回濃度補正されていない未実施色の場合には、ステップ５２２に進む。ステップ５２２で、濃度補正履歴情報に基づいて、補正対象色について補正未実施回数が予め定めた回数以下かを判断する。補正未実施回数が予め定めた回数以下である場合には、ステップ５２４に進む。ステップ５２４で、補正量が第２の上限値以内となるように補正情報を生成してルーチンを終了する。ここで「第２の上限値」は、補正前後の濃度変動を許容するように予め設定された値である。従って、「第２の上限値」は「第１の上限値」よりも大きい。
【０１０８】
一方、予め定めた時間以内に画像形成が実施されない場合及び補正未実施回数が予め定めた回数を超えた場合には、ステップ５２６に進む。ステップ５２６で、補正量を制限せずに補正情報を生成してルーチンを終了する。予め定めた時間以内に画像形成が実施されない場合は、補正前後の濃度変動の許容範囲が広い。補正未実施回数が予め定めた回数を超えた場合は、補正対象色の濃度変動は大きいと予測される。従って、補正量を制限せずに補正情報を生成する。なお、電源オン時や省電力状態から待機状態への復帰時にも、補正量を制限せずに補正情報を生成して濃度補正が実施される。
【０１０９】
−第４の実施の形態−
第１の実施の形態では、濃度補正の対象色を表す対象色情報象を「先行取得情報」として取得する例について説明したが、第４の実施の形態では、対象色情報象に加えて、濃度補正用画像の階調数及び階調値を「先行取得情報」として取得する。情報先行取得部７４の構成及び「濃度補正用画像生成処理」の手順以外は、第１の実施の形態と同様であるため、情報先行取得部７４の構成及び「濃度補正用画像生成処理」の手順以外については説明を省略する。
【０１１０】
図１９は本発明の第４の実施の形態に係る画像処理部及び情報先行取得部の構成の一例を示す機能ブロック図である。図１９に示す情報先行取得部７４は、各色画像情報取得部８７と、補正対象色及び階調数/階調値決定部８８とを備えている。各色画像情報取得部８７は、濃度補正部７６から補正時期情報を取得し、画像処理部７１から取得した色変換処理後の画像情報及び通信部８０（図６参照）を介して取得した画像形成情報を解析して、次回の濃度補正前にＹＭＣＫＶ各色で形成される画像の有無、各色で形成される画像の画像濃度、各色で形成される画像が表すオブジェクトの種類等を含む各色画像情報を取得する。各色画像情報は、補正対象色及び階調数/階調値決定部８８に出力される。
【０１１１】
補正対象色及び階調数/階調値決定部８８は、各色画像情報を取得すると共に、特別色指定情報取得部８１から特別色指定情報を取得する。補正対象色及び階調数/階調値決定部８８は、取得された各色画像情報及び特別色指定情報に基づいて、濃度補正の対象となる対象色を決定し、対象色情報を取得する。
【０１１２】
また、補正対象色及び階調数/階調値決定部８８は、取得された各色画像情報に基づいて、濃度補正用画像の階調数/階調値を決定し、階調数/階調値情報を取得する。例えば、階調値２５％、５０％、７５％、１００％の４個の濃度補正用画像Ｐを含む濃度補正用画像群Ｇ２を形成するというように、濃度補正用画像群Ｇ２に含まれる濃度補正用画像Ｐの階調数と階調値とを取得する（図５参照）。
【０１１３】
濃度補正用画像の階調数及び階調値は、取得された各色画像情報に応じて決定される。例えば、各色で形成される画像の画像濃度が低い場合には、濃度補正用画像の階調値を小さくする。各色で形成される画像が表すオブジェクトが「写真」である場合には、濃度補正用画像の階調数（形成数）を多くする。各色で形成される画像が表すオブジェクトが「文字」である場合には、濃度補正用画像の階調数（形成数）を少なくする。
【０１１４】
（濃度補正用画像生成処理）
図２０は本発明の第４の実施の形態に係る「濃度補正用画像生成処理」の手順を示すフローチャートである。図２０に示すように、ステップ６００で、色変換処理後の画像情報（ＹＭＣＫデータ又はＹＭＣＫＶデータ）を取得する。次に、ステップ６０２で、画像形成情報を取得する。次に、ステップ６０４で、補正処理の時期を表す補正時期情報を取得する。次に、ステップ６０６で、色変換処理後の画像情報を解析して、次回の濃度補正前にＹＭＣＫＶ各色で形成される画像の有無を表す画像有無情報を取得する。
【０１１５】
次に、ステップ６０８で、特別色指定情報を取得する。次に、ステップ６１０で、取得された各色画像有無情報及び特別色指定情報に基づいて、濃度補正の対象となる対象色を決定し、対象色情報を取得する。次に、ステップ６１２で、色変換処理後の画像情報及び画像形成情報を解析して、次回の濃度補正前にＹＭＣＫＶ各色で形成される画像の画像濃度、各色で形成される画像が表すオブジェクトの種類等を含む各色画像情報を取得する。
【０１１６】
次に、ステップ６１４で、取得された各色画像情報に基づいて、濃度補正用画像Ｐの階調数及び階調値を決定し、階調数/階調値情報を取得する。次に、ステップ６１６で、取得された補正時期情報、対象色情報及び階調数/階調値情報に応じて、予め記憶された部分画像情報を用いて、補正対象色について濃度補正用画像情報（例えば、ＹＭＣＫＶデータ）を生成して、ルーチンを終了する。
【０１１７】
本実施の形態では、次回の濃度補正前にＹＭＣＫＶ各色で形成される画像の画像濃度、各色で形成される画像が表すオブジェクトの種類等を含む各色画像情報を先行取得することで、各色画像情報に応じて濃度補正用画像の階調数及び階調値が決定される。なお、上記では、画像濃度及びオブジェクトの種類の両方を「各色画像情報」として先行取得する例について説明したが、画像濃度及びオブジェクトの一方を「各色画像情報」として先行取得してもよい。
【０１１８】
−変形例−
なお、上記各実施の形態で説明した画像形成装置及びプログラムの構成は一例であり、本発明の主旨を逸脱しない範囲内においてその構成を変更してもよいことは言うまでもない。
【０１１９】
例えば、上記の実施の形態では、各色の露光装置の露光光量を補正して濃度補正を行う場合について説明したが、画像形成条件を調整して濃度補正が行われればよく、露光光量の補正には限定されない。例えば、現像器内のトナー濃度を調整してトナー供給量を変更してもよく、感光体上の帯電量、現像ロールの現像バイアスを調整して像保持体上のトナー量を変更してもよい。また、画像情報の入力階調値と出力階調値の関係を調整する階調補正を行ってもよい。
【０１２０】
また、補正量を制限するための上限値は、制御値として出荷時等に予め設定されていてもよく、利用者により予め（補正処理前に）設定されるようにしてもよい。
【符号の説明】
【０１２１】
１０   操作表示部
２０   画像読取部
３０   画像形成部
３２   画像形成ユニット
３４   ローラ
３６   中間転写ベルト
３８   二次転写装置
３９   定着装置
４０   用紙供給部
４２   用紙収容部
４４   取出ローラ
４６   搬送ローラ
５０   用紙排出部
６０   濃度検出部
７０   制御部
７１   画像処理部
７２   画像情報記憶部
７３   画像形成駆動制御部
７４   情報先行取得部
７５   先行取得情報記憶部
７６   濃度補正部
７７   濃度補正履歴記憶部
８０   通信部
８１   特別色指定情報取得部
８２   画像展開部
８３   色変換処理部
８４   出力画像処理部
８５   各色画像有無情報取得部
８６   補正対象色決定部
８７   各色画像情報取得部
８８   階調値決定部
９０   記憶部
９１   部分画像情報記憶部
９２   濃度補正用画像生成部
９３   濃度比較部
９４   補正情報生成部
９５   補正情報格納部
９６   補正時期管理部
１００ 画像形成装置
１０２ 端末装置
１０４ 通信回線
１１０ 画像形成用画像情報
１１１ 濃度補正用画像情報
１１２ 出力情報選択部
１１３ パルス幅変調部
１１４ 露光装置駆動部
１１５ 現像装置駆動部
Ｇ１   画像
Ｇ２   濃度補正用画像群
Ｐ     濃度補正用画像（パッチ画像）
Ｓ１   画像領域
Ｓ２   非画像領域
【図１】
2014038192.tif 000003
【図２】
2014038192.tif 000004
【図３】
2014038192.tif 000005
【図４】
2014038192.tif 000006
【図６】
2014038192.tif 000007
【図７】
2014038192.tif 000008
【図８】
2014038192.tif 000009
【図９】
2014038192.tif 000010
【図１０】
2014038192.tif 000011
【図１１】
2014038192.tif 000012
【図１２】
2014038192.tif 000013
【図１３】
2014038192.tif 000014
【図１４】
2014038192.tif 000015
【図１５】
2014038192.tif 000016
【図１６】
2014038192.tif 000017
【図１７】
2014038192.tif 000018
【図１８】
2014038192.tif 000019
【図１９】
2014038192.tif 000020
【図２０】
2014038192.tif 000021
【図５】
2014038192.tif 000022